(57)【要約】【課題】サックバック機能を備えるとともに内容液を乱れなく安定して注出することができる二重容器用キャップを提案する。【解決手段】本発明の二重容器用キャップ１は、注出筒１４を有するキャップ本体１０と、注出筒１４と内層体３との間に位置する隔壁２１を有し、隔壁２１に、内容液を通す連通口２３と筒状壁２２とを備える中栓２０と、内層体３内の圧力上昇によって連通口２３を開放する弁体４３と、筒状壁２２内に移動可能に設けられる移動弁体３０とを備え、中栓２０は、隔壁２１の中央部に筒状壁２２を配置するとともに、筒状壁２２より外周側に連通口２３を複数配置してなるものであり、筒状壁２２における内層体側開口の総開口面積に対し、連通口２３の総開口面積を大きくしたことを特徴とする。【選択図】図１
2015160668.tif 000002
【特許請求の範囲】
【請求項１】
減容変形可能な内層体からの内容液を注出する注出筒を有し、該内層体を内側に配置した外層体の口部に装着されるキャップ本体と、
該注出筒と該内層体との間に位置する隔壁を有し、該隔壁に、内容液を通す連通口と、一端が該注出筒側に開口するとともに他端が該内層体側に開口する筒状壁とを備える中栓と、
該連通口を閉鎖する一方、該内層体内の圧力上昇によって該連通口を開放して内容液を流す弁体と、
該筒状壁内に移動可能に設けられ、該注出筒側から該内層体側への移動によって該注出筒内に残存する内容液を該筒状壁に向けて引き戻す移動弁体とを備える二重容器用キャップにおいて、
前記中栓は、前記隔壁の中央部に前記筒状壁を配置するとともに、該筒状壁より外周側に前記連通口を複数配置してなるものであり、
該筒状壁における内層体側開口の総開口面積に対し、該連通口の総開口面積を大きくしてなる二重容器用キャップ。
【請求項２】
前記弁体は、注出筒側へ移動した前記移動弁体によって閉鎖される一方、該移動弁体の内層体側への移動に伴い開放する液引き戻し孔を有する請求項１に記載の二重容器用キャップ。
【請求項３】
前記弁体は、前記連通口及び前記筒状壁の注出筒側開口に対してともに覆い被さるものであり、
前記筒状壁内に収容された前記移動弁体と該弁体との隙間を、該移動弁体における該筒状壁に沿う長さよりも小さくしてなる請求項１又は２に記載の二重容器用キャップ。
【発明の詳細な説明】
【技術分野】
【０００１】
本発明は、減容変形可能な内層体とこの内層体を内側に配置した外層体とを備える二重容器に対し、外層体の口部に装着されて内層体に収容した内容液を注出させる二重容器用キャップに関する。
【背景技術】
【０００２】
化粧水などの化粧料や、シャンプーやリンス或いは液体石鹸、また食品調味料などを収用する容器としては、このような液体を収容するとともに減容変形可能に設けられる内層体と、この内層体を内側に収めるとともに容器の外殻を形成する外層体とを備える二重容器（デラミ容器、積層剥離容器とも言う）が知られている。このような二重容器においては、外層体の口部に、内容液を注出する注出筒を備えるとともに内層体への外気の侵入を防止する弁体を設けた二重容器用キャップ（以下、単に「キャップ」と称する場合もある）が装着される。そして、外層体を押圧することで、外層体と内層体との間の空気を介して内層体内を加圧し、これによって弁体を開放させて内容液を注出する。また外層体には、内層体との間に外気を取り込む貫通孔を設けていて、注出後、外層体が元の形状に復元する際は、この貫通孔から外気が取り込まれ、内層体は減容変形したままで外層体のみが復元する。
【０００３】
ところでこのような二重容器（以下、単に「容器」と称する場合もある）においては、外層体への押圧を停止すると弁体が直ちに閉鎖状態に戻るため、注出筒内に内容液が残留することになる。このため、容器の姿勢によっては注出筒から内容液が溢れる（液だれ）ことがある。また、保管時に注出筒を覆い隠すための蓋体には、注出筒に入り込んでその内周壁に当接することで注出筒内に外気が入り込まないようにするシール部が設けられているため、蓋体を閉める際にも液だれが生じることがある。
【０００４】
このような液だれを防止するキャップとしては、例えば特許文献１のようなサックバック機能（バックサクション機能ともいう）を有するものが知られている。特許文献１のキャップでは、内層体の上部に設けられる隔壁に、両端が開口する筒状壁を設けて貫通経路を形成し、貫通経路に、容器の姿勢変更に応じて貫通経路内を移動する球状弁体を設けている。このようなキャップによれば、内容液を注出した後、傾倒姿勢の容器を起立姿勢に戻すことによって球状弁体は内層体側へ移動し、これによって注出筒内に残留した内容液を貫通経路に向けて引き戻すことができるため、液だれを防止することができる。
【先行技術文献】
【特許文献】
【０００５】
【特許文献１】特開２０１３−１５１３１６号公報
【発明の概要】
【発明が解決しようとする課題】
【０００６】
ところで、このようなキャップにおいては、隔壁の中央部に内容液の通る連通口（特許文献１ではゲート）が設けられていて、貫通経路を形成する筒状壁は、隔壁に対して偏心（容器の中心軸に対して偏心）して設けられている。このため、内容液が連通口を通り抜ける際の流れが不規則になり、容器の傾きや外層体への押圧加減によっては、注出した内容液に液の乱れが起きることがあった。
【０００７】
本発明は、このような問題点を解決することを課題とするものであり、その目的は、サックバック機能を備えるとともに内容液を乱れなく安定して注出することができる、新たな二重容器用キャップを提案するところにある。
【課題を解決するための手段】
【０００８】
本発明は、減容変形可能な内層体からの内容液を注出する注出筒を有し、該内層体を内側に配置した外層体の口部に装着されるキャップ本体と、
該注出筒と該内層体との間に位置する隔壁を有し、該隔壁に、内容液を通す連通口と、一端が該注出筒側に開口するとともに他端が該内層体側に開口する筒状壁とを備える中栓と、
該連通口を閉鎖する一方、該内層体内の圧力上昇によって該連通口を開放して内容液を流す弁体と、
該筒状壁内に移動可能に設けられ、該注出筒側から該内層体側への移動によって該注出筒内に残存する内容液を該筒状壁に向けて引き戻す移動弁体とを備える二重容器用キャップにおいて、
前記中栓は、前記隔壁の中央部に前記筒状壁を配置するとともに、該筒状壁より外周側に前記連通口を複数配置してなるものであり、
該筒状壁における内層体側開口の総開口面積に対し、該連通口の総開口面積を大きくしてなる二重容器用キャップである。
【０００９】
前記弁体は、注出筒側へ移動した前記移動弁体によって閉鎖される一方、該移動弁体の内層体側への移動に伴い開放する液引き戻し孔を有することが好ましい。
【００１０】
前記弁体は、前記連通口及び前記筒状壁の注出筒側開口に対してともに覆い被さるものであり、
前記筒状壁内に収容された前記移動弁体と該弁体との隙間を、該移動弁体における該筒状壁に沿う長さよりも小さくしてなることが好ましい。
【発明の効果】
【００１１】
本発明の二重容器用キャップは、注出筒と内層体との間に位置する隔壁に、内容液を通す連通口、及び一端が注出筒側に開口するとともに他端が内層体側に開口する筒状壁を設けた中栓と、筒状壁内に移動可能に設けられ、注出筒側から内層体側への移動によって注出筒内に残存する内容液を該筒状壁に向けて引き戻す移動弁体とを備えるものである。そしてこの中栓を、隔壁の中央部に筒状壁を配置するとともに、筒状壁より外周側に連通口を複数配置してなるものとし、筒状壁における内層体側開口の総開口面積に対し、連通口の総開口面積を大きくしている。すなわち、筒状壁が隔壁の中央部に設けられているので、筒状壁の周囲における内容液の流れが均等化され、内容液が注出される際の液の乱れを抑制することができる。また、連通口を複数配置しているので、内容液を注出する際の弁体の傾きが生じにくくなり、流れの乱れがより起きにくくなる。更に、筒状壁における内層体側開口の総開口面積に対し、連通口の総開口面積を大きくしているので、内容液が連通口を流れる際の抵抗がより軽減され、注出がスムーズに行われる。
【００１２】
弁体に、注出筒側へ移動した移動弁体によって閉鎖される一方、この移動弁体の内層体側への移動に伴い開放する液引き戻し孔を設ける場合は、内容液を注出させる際に容器を傾けることでこの液引き戻し孔が閉鎖され、注出筒は連通口とのみ連通することになるので、内容液の流れの安定性をより確実なものにすることができる。
【００１３】
弁体を、連通口及び筒状壁の注出筒側開口に対してともに覆い被さるものとし、筒状壁内に収容された移動弁体と弁体との隙間を、移動弁体における筒状壁に沿う長さよりも小さくする場合は、キャップを組み立てる際に誤って移動弁体を２つ取り付けることがあると、弁体が持ち上げられて連通口が開放することになる。連通口が開放しているか否かは、例えばリーク試験等によって簡単に、しかも確実に確認することができるため、このような組み立て不良の発見が容易になる。
【図面の簡単な説明】
【００１４】
【図１】本発明に従う二重容器用キャップの一実施形態につき、外層体の口部に装着した状態を示す断面図である。
【図２】図１に示す二重容器用キャップの部分拡大断面図である。
【図３】図２に示す矢印Ａに沿う矢視図である。
【図４】図２に示す矢印Ｂに沿う矢視図である。
【図５】本発明に従う二重容器用キャップの他の実施形態を示す、部分拡大断面図である。
【発明を実施するための形態】
【００１５】
以下、図面を参照して、本発明をより具体的に説明する。
【００１６】
図１は、本発明の一実施形態である二重容器用キャップ１（以下、「キャップ１」という）が、これに適合する二重容器２（以下、「容器２」という）に装着された状態を示す。キャップ１は、キャップ本体１０、中栓２０、移動弁体３０、逆止弁４０Ａ、及び蓋体５０で構成されている。また、容器２は、内層体３、及び外層体４で構成されている。
【００１７】
まず、容器２について説明する。容器２を構成する内層体３及び外層体４は、本実施形態ではともに合成樹脂製であって、相互に相溶性が低い樹脂を用いている。また容器２は、内層体３の合成樹脂素材と外層体４の合成樹脂素材とを積層して形成されるパリソンに対し、ブロー成形を行うことによって形作っている。また、図示は省略するが、内層体３と外層体４との間に、縦方向に延在して内層体３と外層体４とを部分的に接合する、１本或いは複数本の接着帯を設けてもよい。
【００１８】
内層体３は、減容変形可能に形成されるものであって、本実施形態では、積層状態で形成された容器２に対し、外層体４から剥離させることで得られるものである。内層体３は、その内側に内容液を収容する収容空間Ｓと、この収容空間Ｓにつながる上部開口３ａを備えている。
【００１９】
外層体４は、円筒状の口部周壁４ａに、図示を省略する復元自在な可撓性を有する胴部、及び胴部の下端を閉鎖する底部を連結したものである。口部周壁４ａの外周面には雄ねじ部４ｂを設けている。また、口部周壁４ａには、内層体３との相互間に空気を取り込むための貫通孔４ｃを設けていて、更に、貫通孔４ｃを設けた外周面には、上下方向に雄ねじ部４ｂを切り欠く溝部４ｄを設けている。
【００２０】
次に、キャップ１に関し、キャップ本体１０について説明する。キャップ本体１０は、口部周壁４ａを取り囲む外周壁１１を備えていて、外周壁１１の内周面には、口部周壁４ａの雄ねじ部４ｂに対応する雌ねじ部１２が形成されている。また、外周壁１１の上部には、頂壁１３が一体に連結している。頂壁１３には、内容液を注出する注出筒１４が設けられている。また、頂壁１３の下面には、同心二重配置となる一対の上部嵌合壁１５が設けられている。更に、上部嵌合壁１５より径方向外側には、頂壁１３を貫通する外気導入孔１６を設けている。本実施形態では、頂壁１３の中央部分と外周部分との間に段差を設け（中央部分に対し外周部分は高さが低くなっている）、この段差に径方向外側に向けて開口するようにして外気導入孔１６を設けている。このように構成することで、頂壁１３上に溢れた内容物が、外気導入孔１６に入り難くなる。なお、外周壁１１の下端は口部周壁４ａと気密に当接していて、口部周壁４ａと外周壁１１との間には、貫通孔４ｃに通じる通気路Ｔが設けられている。
【００２１】
キャップ本体１０の内側には、中栓２０が設けられる。中栓２０は、注出筒１４と内層体３との間に位置するとともに、内層体３の上部開口３ａを覆う隔壁２１を備えている。
【００２２】
隔壁２１には、一端が注出筒１４側に開口するとともに他端が内層体３の収容空間Ｓ側に開口する筒状壁２２が設けられている。本実施形態の筒状壁２２は、図２に示すように、隔壁２１の中央部（容器２の中心軸Ｍ上）に貫通孔２２ａを設け、この貫通孔２２ａの縁部から収容空間Ｓに向けて円筒部２２ｂを延在させ、傾斜部２２ｃを介して、外周面に少なくとも１つの貫通孔２２ｄ（本実施形態では、図１、図３に示すようにスリット状に４つ設けている）を有する有底円筒状の底部２２ｅを一体に連結させたものである。また隔壁２１には、筒状壁２２より外周側にこの隔壁２１を貫通する孔（連通口）２３が設けられている。本実施形態では、図３に示すように、筒状壁２２を取り囲んで均等配置で４つ設けている。ここで、筒状壁２２における収容空間Ｓ側の開口（本実施形態では貫通孔２２ｄ）の総開口面積と、連通口２３の総開口面積との関係は、連通口２３の総開口面積の方が大きくなるようにしている。ここで、連通口２３の総開口面積とは、それぞれの連通口２３における開口面積に対し、これらを合計した面積をいう。なお、これについては貫通孔２２ｄも同様である。
【００２３】
また隔壁２１は、連通口２３より径方向外側において収容空間Ｓ側に屈曲する段部２４を備えていて、段部２４より径方向外側には、段部２４との間で上向き開放の溝を形成する嵌合壁２５が設けられている。そして隔壁２１の下面には、外層体４との間で内層体３を挟み込む環状のシール壁２６を設けている。なお、図２に示すように隔壁２１の外縁には、少なくとも１つの溝２７が設けられている。
【００２４】
筒状壁２２内には、本実施形態では球状となる移動弁体３０が設けられている。筒状壁２２と移動弁体３０との間には、容器２の姿勢変更に応じて移動弁体３０が移動可能、且つ内容液はほとんど通過させない（実質的に通過させない）程度の隙間が設けられている。なお、筒状壁２２の注出筒１４側は、後述する液引き戻し孔４４によって開口し、収容空間Ｓ側は、貫通孔２２ｄによって開口しているので、筒状壁２２内に入り込んだ内容液が移動弁体３０の移動を妨げることはない。また移動弁体３０は、容器２を起立姿勢（容器２の底部を水平な台の上に載置した状態の姿勢）にすることで、筒状壁２２の傾斜部２２ｃに着座する。これによって収容空間Ｓをシールすることができる。
【００２５】
キャップ本体１０と中栓２０との間には、逆止弁４０Ａが設けられている。図４に示すように逆止弁４０Ａは、本実施形態では円筒状になる環状壁４１の径方向内側に、３つのアーム４２を介して連結する板状の弁体４３を備えていて、所謂３点弁の形態をなしている。また、弁体４３の中央部には貫通孔（液引き戻し孔）４４が設けられていて、弁体４３の下面には突起４５が設けられている。また逆止弁４０Ａは、図２に示すようにキャップ本体１０、中栓２０に対して取り付けた際、環状壁４１の下部が段部２４と嵌合壁２５との間で嵌合保持され、環状壁４１の上部が一対の上部嵌合壁１５で嵌合保持されるようになっている。これにより、図２に示すように、環状壁４１の径方向内側には、連通口２３と注出筒１４とを連通させて内容液の流路を形成する内側空間Ｋ１が区画形成され、環状壁４１の径方向外側には、外気導入孔１６と溝２７とを連通させて空気の流路を形成する外側空間Ｋ２が区画形成される。また、弁体４３は、貫通孔２２ａ及び連通口２３を全て覆い隠す大きさになっていて、通常時は隔壁２１に着座して連通口２３を閉鎖する。また、液引き戻し孔４４は、貫通孔２２ａに対応する位置に設けられている。
【００２６】
蓋体５０は、図１に示すように、ヒンジ５１を介してキャップ本体１０の外周壁１１に連結していて、ヒンジ５１で折り曲げることで、注出筒１４及び外気導入孔１６を覆い隠すことができる。より詳細には、蓋体５０は、平板状の上壁５２と、上壁５２の縁部に連結するとともに外周壁１１に連なる形状となる蓋体周壁５３とを備えていて、上壁５２には、蓋体５０を閉めた際に注出筒１４の内側に入り込んで注出筒１４をシールする筒状のシール部５４が設けられている。なお、蓋体５０は、ヒンジ５１を設けずにキャップ本体１０とは別体のものとし、ねじやアンダーカットでキャップ本体１０に装着するように構成してもよい。
【００２７】
上記のように構成されるキャップ１から内容液を吐出するに当たっては、図１に仮想線で示すように蓋体５０を開き、容器２を起立姿勢から傾倒姿勢に姿勢変更して、外層体４の胴部を押圧する。これにより、筒状壁２２内の移動弁体３０は注出筒１４側に移動し、また、内層体３と外層体４との間の空気を介して収容空間Ｓが加圧される。なお、外層体４の貫通孔４ｃとキャップ本体１０の外気導入孔１６との間は、通気路Ｔ、溝２７、及び外側空間Ｋ２でつながっており、常時開放された状態であるものの、溝２７は狭くなっていて空気が流れる際に抵抗が生じるため、外層体４を押圧しても、内層体３と外層体４との間の空気はそれ程多く漏れ出すことはなく、収容空間Ｓへの加圧が阻害されることはない。そして、加圧された内容液が、弁体４３を持ち上げて連通口２３から流出し、内側空間Ｋ１を経由して注出筒１４から外界に注出される。ここで、筒状壁２２は隔壁２１の中央部に設けられているので、筒状壁２２の周囲における内容液の流れは均等化され、内容液が注出される際の液の乱れが抑制される。また、連通口２３が１つのみの場合には、弁体４３は、連通口２３を設けた部位が優先して持ち上がって傾いてしまうものの、ここでは複数配置しているので、弁体４３の傾きが生じにくくなり、流れの乱れがより起きにくくなる。筒状壁２２における内層体３側の開口（貫通孔２２ｄ）の総開口面積に対し、連通口２３の総開口面積を大きくしているので、内容液が流れる際、連通口２３での抵抗がより軽減されてスムーズに注出させることができる。
【００２８】
所要量の内容液を注出した後は、外層体４の胴部への押圧を解除する。これによって収容空間Ｓ内の圧力が下がり、弁体４３が連通口２３を閉鎖するので、収容空間Ｓ内への外気の入り込みが防止できる。また、外層体４は、それ自身の復元力により元の形状に戻ろうとするため、内層体３と外層体４との相互間は負圧状態となり、これによって、外気導入孔１６から外側空間Ｋ２、溝２７、通気路Ｔを経て、貫通孔４ｃより空気が導入され、内層体３を減容変形させたまま外層体４が復元する。
【００２９】
弁体４３が連通口２３を閉鎖すると、注出筒１４及び内側空間Ｋ１内には内容液が残留したままになっているものの、容器２を元の起立姿勢に戻すと、移動弁体３０は、それ自身の自重や収容空間Ｓ内の圧力低下によって内層体３の収容空間Ｓ側に移動する。これにより、筒状壁２２における注出筒１４側には、スペースが生じることになるため、注出筒１４及び内側空間Ｋ１内に残留した内容液を、液引き戻し孔４４を通してこのスペースに移動させることができ（サックバック機能）、液だれを有効に防止することができる。
【００３０】
ところで、図２に示すように、筒状壁２２内に収容された移動弁体３０と弁体４３との隙間（本実施形態では弁体４３に設けた突起４５までの長さ）Ｌ１は、移動弁体３０における筒状壁２２に沿う長さ（本実施形態では移動弁体３０の球の直径）Ｌ２よりも短いことが好ましい。これにより、キャップ１を組み立てる際に誤って移動弁体３０を２つ取り付けることがあっても、弁体４３が持ち上げられて連通口２３が開放することになる。連通口２３が開放しているか否かは、例えばリーク試験等によって簡単に、しかも確実に確認することができるため、組み立て不良の発見が容易になる。
【００３１】
次に、本発明に従う他の実施形態の二重容器用キャップについて、図５を参照しつつ説明する。なお、上述した実施形態と同一の機能を有する部位は、同一の符号を付して説明を省略する。
【００３２】
図５に示す逆止弁４０Ｂにおいて、弁体４６は、その中央部に円形の貫通孔（液引き戻し孔）４７を備えている。また弁体４６は、液引き戻し孔４７を取り囲むとともに注出筒１４に向けて膨出する膨出部４８を備えていて、膨出部４８には少なくとも１つのスリット４９が設けられている。
【００３３】
このような逆止弁４０Ｂを用いる場合は、容器２を傾倒姿勢にすることで、移動弁体３０が注出筒１４側へ移動して、液引き戻し孔４７を閉鎖する。これにより、注出筒１４は連通口２３とのみ連通して内容液の流路が一意に定まるため、内容液の流れをより安定させることができる。
【００３４】
なお、逆止弁４０Ｂにおいても、筒状壁２２内に収容された移動弁体３０と弁体４６との隙間Ｌ１は、移動弁体３０における筒状壁２２に沿う長さＬ２よりも短くなっているので、誤って移動弁体３０を２つ取り付けることがあっても、容易に発見することができる。
【００３５】
本発明に従う二重容器用キャップは、上述した実施形態に限定されるものではなく、特許請求の範囲に従う範囲で種々の変更が可能である。例えば逆止弁としては、３点弁に限られず、１点弁等、従前の他の形態の逆止弁を用いることができる。また、移動弁体の断面形状は、筒状壁の断面形状に合わせて円や多角形等、適宜変更することができる。また、その立体的な形状は、球状を問わず、柱状（円柱や四角柱等）や錐体状（円錐や三角錐等）のように、種々のものを適用することができる。また、外層体及び内層体は、積層構造のパリソンをブロー成形することによって形成されるものに限られず、外層体及び内層体を個別に形成し、その後、内層体を外層体内に装着するようにしたものでもよい。
【産業上の利用可能性】
【００３６】
本発明によれば、サックバック機能を備えるとともに内容液を乱れなく安定して注出することができ、また、組み立ての際に移動弁体を複数取り付けてしまう不具合を簡単に発見することができる、新規の二重容器用キャップを提供することが可能となる。
【符号の説明】
【００３７】
１  二重容器用キャップ（キャップ）
２  二重容器（容器）
３  内層体
３ａ  上部開口
４  外層体
４ａ  口部周壁
４ｂ  雄ねじ部
４ｃ  貫通孔
４ｄ  溝部
１０  キャップ本体
１１  外周壁
１２  雌ねじ部
１３  頂壁
１４  注出筒
１５  上部嵌合壁
１６  外気導入孔
２０  中栓
２１  隔壁
２２  筒状壁
２２ａ  貫通孔
２２ｂ  円筒部
２２ｃ  傾斜部
２２ｄ  貫通孔
２２ｅ  底部
２３  連通口
２４  段部
２５  嵌合壁
２６  シール壁
２７  溝
３０  移動弁体
４０Ａ、４０Ｂ  逆止弁
４１  環状壁
４２  アーム
４３  弁体
４４、４７  液引き戻し孔
４５  突起
４６  弁体
４８  膨出部
４９  スリット
５０  蓋体
５１  ヒンジ
５２  上壁
５３  蓋体周壁
５４  シール部
Ｋ１  内側空間
Ｋ２  外側空間
Ｌ１  筒状壁内に収容された移動弁体と弁体との隙間
Ｌ２  移動弁体における筒状壁に沿う長さ
Ｍ  二重容器の中心軸
Ｓ  収容空間
Ｔ  通気路
【図１】
2015160668.tif 000003
【図２】
2015160668.tif 000004
【図３】
2015160668.tif 000005
【図４】
2015160668.tif 000006
【図５】
2015160668.tif 000007